(57)【要約】【課題】  複数の編集装置の一つが故障で利用できなくなった場合でも、正常動作している少なくとも１つの編集装置の稼動を続行し、写真シール自販機自体の稼動を停止させず、また、利用者に対しては故障装置による不具合を感じさせない写真シール自販機を提供する【解決手段】  予め縮退設定として、撮影時間と編集時間とのそれぞれについて稼動予定時間を決めておく。例えば、縮退設定として、撮影３分３０秒、編集５分とする。  編集装置の一つが故障した場合、監視装置の判定に基づき、故障している編集装置の稼動を停止する（ステップ１１０１）。  故障した編集装置以外の編集装置及び撮影装置について処理が続行していた場合には、各装置の処理終了まではそのままの運転を継続する。  各装置の処理終了を確認した後（ステップ１１０２）、縮退運転条件にパラメータを切り替え（ステップ１１０３）、次の撮影処理，編集処理を再開する（ステップ１１０４）。【選択図】      図１１
2006302176.tif 000002
【特許請求の範囲】
【請求項１】
被写体を撮影する撮影手段と、撮影した被写体像を表示する表示装置からなる撮影筐体と、表示された被写体像に対する編集操作を行う入力手段を持つ複数の編集装置からなる編集筐体とから構成される写真シール自販機において、
前記複数の編集装置に対する、稼動の有無を検知する監視装置を設け、
前記監視装置は少なくとも１つの編集装置の稼動異常を検出した場合、検出された編集装置を停止するとともに、
正常に稼動している撮影装置及び、編集装置に対して予め定められている処理時間の変更を行うことを特徴とする写真シール自販機。
【請求項２】
請求項１記載の写真シール自販機において、
前記監視装置が停止した場合、正常に稼動している撮影装置の撮影時間を延長することを特徴とする写真シール自販機。
【発明の詳細な説明】
【技術分野】
【０００１】
本発明は、遊技場、遊園地などのアミューズメント施設などで利用者の全身、もしくは上半身を画像撮影するのに最適で、なお、簡易な構成で解像度の高い画像を得る写真シール自販機に関するものである。
【背景技術】
【０００２】
従来から写真シール自販機あるいは写真シール自販機というアミューズメント装置が一般に知られている。
この写真シール自販機あるいは写真シール自販機と呼ばれるアミューズメント装置は利用者である被写体をデジタルカメラで撮影し、その撮影画像と利用者が予め選択していた背景（フレーム）画像とを合成した画像をシール紙に印刷する装置である。
最近の写真シール自販機は、撮影筐体、落書きなどを行う編集筐体、さらに印刷筐体がそれぞれ分離独立しており、そのいずれかが故障してしまった場合に故障した筐体の処理は停止させ、他で稼動中の処理はその処理が終了するまで実行させる写真シール自販機が提供されている（例えば、特許文献１参照）
【特許文献１】特開２００５−５７６３１号公報
【０００３】
前記特許文献１で知られている技術では、撮影装置、編集装置、印刷装置のいずれかの故障を検出した場合、故障した装置がどの装置であるかを特定し、故障した装置を停止する一方、他の装置が実行中の場合、当該装置についてはその処理が終わるまで実行しつづけることが開示されている。この技術では、いずれかの装置が故障したかどうかを監視し、故障した装置は停止し、故障発生時に、他の装置が処理中の場合は処理が終了するまで稼動をつづけ、その処理が終了した段階で、システム全体を停止することとしている。
【発明の開示】
【発明が解決しようとする課題】
【０００４】
しかし、前記特許文献１に記載の技術は、編集装置を一つのみ備えた写真シール自販機を前提としたものであるため、複数の編集装置を備えた写真シール自販機については適さないものであった。即ち、複数の編集装置を備えた写真シール自販機において、編集装置の一つが故障した場合には、他の一つが正常稼動している場合であっても、正常な稼動処理を行える編集装置の実行中の処理が終了すると、その後、全てのシステムの実行が停止されることとなっている。従って、他の編集装置が利用可能であるのにも関らず、写真シール自販機自体の利用ができなくなるという問題があった。
【０００５】
本発明の目的は複数の編集装置の一つが故障で利用できなくなった場合でも、正常動作している少なくとも１つの編集装置の稼動を続行し、写真シール自販機自体の稼動を停止させず、また、利用者に対しては故障装置による不具合を感じさせない写真シール自販機を提供することにある。
【課題を解決するための手段】
【０００６】
前記課題を解決するため本発明の写真シール自販機は、被写体を撮影する撮影手段と、撮影した被写体像を表示する表示装置からなる撮影筐体と、表示された被写体像に対する編集操作を行う入力手段を持つ複数の編集装置からなる編集筐体から構成される写真シール自販機において、前記複数の編集装置に対する、稼動の有無を検知する監視装置を設け、
前記監視装置は少なくとも１つの編集装置の稼動異常を検出した場合、検出された編集装置を停止するとともに、正常に稼動している撮影装置及び、編集装置に対して予め定められている処理時間の変更を行うことを特徴とする。
さらに前記監視装置が停止した場合、正常に稼動している撮影装置の撮影時間を延長し、編集装置の処理時間を短縮することにある。
【発明の効果】
【０００７】
以上の構成により本発明では、1つの編集装置が故障し停止しても、他で稼動中の撮影装置及び、編集装置の利用を止めることなく処理を続行させるため、利用者は継続して、写真シール自販機を利用することが可能となる。
さらに、1つの編集装置が利用不可能になり、撮影装置と、もう一つの編集装置が利用可能である場合に、各装置の利用時間の変更を行うことにより、利用者全般に対する満足度を上げることが可能となる。
【発明を実施するための最良の形態】
【０００８】
以下、本発明の一実施の形態に係る写真シール自販機について、図面に基づき説明する。
図１は本発明の一実施の形態に係る写真シール自販機の基本的構成を示す斜視図であり、図２は本発明の一実施の形態に係る写真シール自販機の基本的構成を示す内部平面図及び編集装置の斜視図である。
各図面で示される、１は本体部筐体、２，６は編集部筐体、３は床面、４は背面部筐体、５は通路、７は写真シール排出口、８は屋根部、９Ａ，９Ｂ，１０Ａ，１０Ｂは通路をそれぞれ表す。
図１に示すように本実施形態に係る写真シール自販機は、その両側部は開口し、利用者がいずれの方向からも出入りできる構造となっており、その両側部は外から撮影筐体内部が見えないようにカーテンで仕切られている、なお、このカーテンは撮影時の遮光を目的としているので遮光性素材を用いたものを用いているが、普通の素材でも構わない。
写真シール自販機は本体部筐体１と、編集部筐体２，６と、背面部筐体４と、床板３と、屋根部８とから構成され、本体部筐体１と背面部筐体４とは床板３および屋根部８の結合部材によって所定間隔の距離を隔てて結合されている。背面部筐体４と編集部筐体２，６は背中合わせに結合されている場合もあるし、背面部筐体に戸を設けて、撮影筐体から編集部筐体に直接通りぬける構造にしてもよい。
【０００９】
図１及び図２（ａ）では編集部筐体２，６はそれぞれ独立した筐体になっているが、図２（ｂ）で示されるように編集部筐体同士が背中合わせに一体化成形されていても構わない。
図２で示されるように本体部筐体１と背面部筐体４との間の空間は、複数もしくは単体の被写体が本体部筐体１に入室可能となる通路５からなるものである。
また、背面部筐体４の中央部は開口しており、通路９Ａまたは通路９Ｂを通って写真シール自販機の後部へ移動可能となっている。利用者は撮影後、編集部筐体６を利用する場合は通路９Ａを通り、編集部筐体６へ移動する。同様に、編集部筐体２を利用する場合は通路９Ｂを通り、編集部筐体２へ移動する。編集後、それぞれ通路１０Ａ、通路１０Ｂを通って、編集部筐体２の側面にある写真シール排出口７へ移動できる。各図で示される写真シール自販機内には撮影対象の被写体を収容可能な空間を有する撮影室を有している。この撮影室には入室した被写体の背面側から照明光を照射する背面照明装置が設けられても構わない。
【００１０】
図３は、本体部筐体１の正面図である。
図３で示される撮影部筐体1には以下の装置が設置されている。被写体の全身画像が撮影可能なカメラ３、撮影した被写体画像その他を表示する表示装置４と、撮影した被写体画像とユーザが選択した背景画像とを合成する画像処理手段を備えた制御装置９と、合成画像を印刷出力するプリンタ１０と、被写体の正面側に対して照明光を照射する主照明装置１Ａ，１Ｂ，１Ｃと、課金装置８と、スピーカ６が収容されている。なお、この本体部筐体1は底面に配置されたキャスタロールによって移動可能になっている。
表示装置４の表示部表面には透明性のある入力装置であるタッチパネルが貼り合せた状態で設けられ、表示画面に表示させた操作ボタンや画像などの位置をペン又は指を用いて押圧または接触することによって、動作指示や情報選択指示などの各種入力操作ができるようになっている。
撮影装置本体を詳細に説明すると装置の正面ほぼ中央には被写体を撮影するデジタルカメラ３が設置されている。また、装置本体の上部および左右にはストロボ１Ａ〜１Ｃが設置されている。このストロボ１Ａ〜１Ｃはデジタルカメラ３で被写体を撮影するときのみ発光し、その光の強さにより撮影する画像の明るさを調整可能になっている。
また、上方および左右には、常時点灯し、操作中の利用者の周囲を照らすライト２Ａ〜２Ｃが設置されている。また、デジタルカメラ３の下方には、被写体を撮影するときに、実際に写っている画像を確認するための液晶モニタ４が設置されている。
利用者は撮影のときに液晶モニタ４に表示される自分の像を見ながら、立つ位置やポーズ、顔の位置などを調整、確認する。
制御装置１２の胴部付近にはスピーカ６、スイッチパネル７、課金装置８、ストロボ用電源９、パーソナルコンピュータ９、プリンタ１０、ＵＰＳ１１が設けられている。
スピーカ６は操作中の音楽やガイダンスの音声を出力する。課金装置８は利用料金の投入を受け付け、収納する。無料設定時を考慮し、取り外し可能なものとなっている。ストロボ用電源９はストロボ１ａ〜１ｃに対して利用者が選択した明るさに応じた電力を供給する。
【００１１】
パーソナルコンピュータ９は、撮影制御、撮影画像を加工または編集し利用者に落書き機能を提供する画像編集処理、印刷制御としての機能を有する。
プリンタ１０は画像を所定の用紙に印刷して出力する。ＵＰＳ１１は停電時にも電源供給をする無停電電源装置である。スイッチパネル７はテスト用のスイッチやボリュームスイッチを固定したパネルである。
【００１２】
図４は、カメラユニット内の詳細を示す図である。
デジタルカメラ３と、撮影された映像を表示するモニタ４とモーションセンサ５によってカメラユニットは形成されている。モーションセンサ５は赤外線センサが設けられており、任意に設定したある角度、ある距離範囲内で動きを検出して、被写体の位置確認を行う。
【００１３】
図５は編集部筐体を示す斜視図である。編集装置本体の胴部付近には、操作画面や進行状況、ガイダンスなどを表示する表示装置として、タッチパネル付きディスプレイ１４が設けられている。利用者が入力装置を構成するタッチペン１３でタッチパネル面のアイコンなどをタッチすると、タッチパネル付きディスプレイ１４はその位置を検出し、接触位置に表示したアイコンに割り当てられた機能または動作を開始する。
タッチペン１３は複数本設けられており、複数の利用者が同時に落書きなどの編集処理を行うことができる。
また、タッチパネル付きデイスプレイ１４は複数の表示領域を有し、それぞれの表示領域で複数の利用者によって、タッチペン１３で入力編集操作が行われる。
編集部筐体では撮影装置と同様に入力、編集を行う。
【００１４】
図６は、機能構成を示すブロック図である。この実施形態にかかる画像合成装置は、全体の制御を行うＣＰＵ（中央処理装置）２０１を備えている。このＣＰＵ２０１は、メモリ２０２、Ｉ／Ｏ制御部２０３、データ記憶部２０４、画像出力部２０５、画像処理部２０６、パターンメモリ２０７、データ入力部２０８、音声出力部２０９に接続されている。Ｉ／Ｏ制御部２０３は、通信制御Ｉ／Ｆ（インタフェース）２１０、デジタルカメラＩ／Ｆ（インタフェース）２１１、インバータ２１２、センサ２１３、タッチパネル２１４、課金装置２１５、タイマ２１６、背面部と底面部に設けられた面発光体、及び利用者を前方から照らす照明器具の発光を調整する発光部／調光部２１７に接続され、これら全体の制御を行う。
【００１５】
画像出力部２０５は、ビデオプリンタ２１８、表示装置２１９にそれぞれ接続されている。
Ｉ／Ｏ制御部２０３は、インバータ２１２を制御し、発光部／調光部２１７に対して接続されている面発光表示板に電圧を加え、発光面全体を一様に発光させる。デジタルカメラＩ／Ｆ２１１２０４は、ＣＣＤカメラ２２０を備える画像入力装置２２１で撮影した画像データをＡ／Ｄ変換装置（図示しない）によりアナログ信号からデジタル信号に変換する。ＣＣＤカメラ２２０には、広角レンズが装着されているため、近距離でも縦横、撮影範囲の広い映像が撮影できる。さらに背面、底面部に設置してある面発光表示板からの発光の彩度、明度を測定する。
【００１６】
ＣＰＵ２０１は、デジタルカメラＩ／Ｆ（インタフェース）２１１からの圧縮デジタル信号を受信し、被撮影者の全身画像の輪郭を抽出し、その撮影された全身画像の歪み補正を行い、さらに面発光表示板による背景色と撮影した画像の明度と彩度の比較を行い、背景色の彩度と明度に適合するように全身画像の彩度と明度の補正を行った後、メモリ２０２に格納してあるプログラムによって、利用者が予め選択した任意の背景画像と合成し、プリンタ２１８ヘプリント出力処理を行なう。  メモリ２０２には、画像入力部８から取り込んだ画像データが記憶されるほか、ＣＰＵ２０１に発する命令と画像合成装置の制御手順となる命令群がプログラムとして記憶されている。また、ＣＰＵ２０１の処理データもワークデータとして一時的に記憶する。さらに、撮影時に点灯される背景、底面に設置された面発光表示板からの光の彩度、明度のデータを記憶する。
【００１７】
パターンメモリ２０７には、被写体の画像と重ね合せる背景画像データが記憶されと共に、表示装置２１９に表示する操作メニューのガイドが記憶されている。このパターンメモリ２０７の内容はデータ記憶部２０４によって書き換え可能になっている。通信制御Ｉ／Ｆ２１０は、外部ネットワークとの接続に用いられる。本装置は通信制御Ｉ／Ｆ２１０により専用回線を介して、外部にある機器管理サーバに接続される。この機器管理サーバ（図示しない）は故障の有無を管理することを目的とする。この機器管理サーバについては適宜設置される構成のため、通常の場合は設置しなくても良い。
また、新しい背景画像やキャラクタ画像を機器管理サーバから送信し、Ｉ／Ｏ制御部２０３を介してデータ記憶部２０４に記憶する。データ記憶部２０４ではパターンメモリ２０７に書き込まれたデータの日付と照合し、データ記憶部２０８に記憶されたデータが新しいものであれば、パターンメモリ２０７内のデータを書き換える。
【００１８】
タッチパネル２１４は表示装置２１９の表示画面表面に設けられた液晶パネルであり、例えば表示装置画面に操作メニューを表示し、種々の選択条件を押圧操作によって入力するために使用するものである。
例えば、表示装置画面に密着させてセットし、表示させた操作メニューの位置を押圧操作した時の抵抗値をＣＰＵ２０１がＡ／Ｄ変換装置を介して検知し、画面上の座標を算出し、これにより、ユーザがどのボタンを選択したかを判定するようになっている。
センサ２１３は、例えば赤外線センサによって、操作部位のユーザの存否を検知し、さらに存否が確認された場合、そのユーザがどのような位置にいるのか、その位置確認を行うため、赤外線の送出角度、送出範囲が決められている。
【００１９】
インバータ２１２は、面発光表示板に対してのちらつき防止制御を行う。外部調光に応じて、手動でちらつき防止周期を変更することもできる。発光部／調光部２２３は、撮像手段としてのＣＣＤカメラ２２０に電圧を加える点弧角を制御するために発光機能／調光機能を付加するものである。
面発光表示板は、具体的にはＥＬ板やＰＩＳなどを用いる。また、これらの面発光表示板の全面にブルーのフィルムやグリーンのフィルムを圧着し、ブルー、グリーン等の白色や肌色以外の色彩を発光させる。また、表面反射を防止するためにアクリルなどで表面の加工を行う。もちろん、ビーズ加工等であっても構わない。なお、面発光表示板は必ずしも設置されなくても良い。
【００２０】
画像処理部２０６は、メモリ２０２に記憶させた被写体の画像データとパターンメモリ２０７に格納した顔の色データから顔の輪郭を抽出し、メモリ２上の空間の任意の位置に配置する処理や任意の背景画像との合成処理をＣＰＵ２０１と共同してまたは単独で行い、合成した画像データをプリンタ２１８に送るなどの処理を行う。プリンタ２１８はカラー画像を葉書もしくはシールに印刷し、出力する。
【００２１】
タイマ２１６は、外部にある機器管理サーバと専用線で接続できる環境にないときに装置本体内に設けられ、ＣＰＵ２０１の命令により動作する。
また、撮影部での撮影時間のカウント、編集部での編集時間カウントの際に処理開始からの時間をカウントし、その終了時間により、処理を制御する。
【００２２】
ユーザの撮影は、課金装置２１５へのコイン投入後、ユーザへの撮影指示が表示装置２１９の表示画面で指示されたときに、ＣＣＤカメラ２２０を備えた画像入力装置２２１により行われる。画像入力装置２２１としては、ＣＣＤカメラ２２０の他、Ｃ-ＭＯＳ搭載カメラや通常のビデオカメラ等を用いてもよい。カメラ等の画像入力装置２２０により撮影した画像データは、カメラ等に内蔵されたＡＥ（オートアイリス）機能により露出調整されてメモリ２０２に記憶される。また、画像入力装置２２１として例えば、Ｉｒ−ＤＡ光通信機能を有するデジタルスティルカメラを用いてもよい。その場合には、予め撮影した画像データを受信し転送できるＩｒ−ＤＡ光通信機能と複数枚の画像データが格納できるバッファメモリにより、ユーザにメニュー画像の選択条件となるアイコンを選択させて、ＪＰＥＧ圧縮した複数枚の静止画を容易に合成することができるようになる。
【００２３】
撮影料金は、課金装置２１５で受け付けるが、料金受納手段は、コイン検知器に限られず、紙幣読取器、プリペイドカード読取器、クレジットカード等を用いることも可能である。撮影された画像データは、撮影後、ＲＧＢデータに変換され、画像出力部２０５を介して、表示装置２１９に表示される。
【００２４】
本画像合成装置に具備する表示装置２１９には、ユーザが操作する段階で必要なメニュー画面を表示してユーザの作成した合成画像等が適切であるかを確認する表示が必要である。これらの画面表示は、ＣＰＵ２０１により制御され、表示される。また、画面への表示や画像処理などは、ＣＰＵ２０１によって動作状態が管理されているため、プリント処理中は、予めパターンメモリ２０７に記憶させてある画像や映像に切り換えて表示することができる。操作画面が不要な時には、メニュー表示を切り換えてコマーシャルや商品広告などを放映する。表示装置２１９は、ＣＲＴ型表示装置に限定するものではなく、例えば液晶型ＬＣＤ表示装置やＬＥＤ発光による文字表示装置でもよい。
【００２５】
図７は撮影用コンピュータを含む撮影筐体と、編集用コンピュータを含む編集筐体とを分ける構成を示す図である。
装置構成等は、撮影用コンピュータ２３１と複数の編集用コンピュータ２３２とに分けている点以外は、図６と同様であるため、同一の符号を付して説明は省略する。なお、一部の構成は図示を省略している。図７で示される撮影用コンピュータ２３１は撮影処理のみを行い、編集用コンピュータ２３２は編集処理のみを行う。撮影用コンピュータ２３１側の画像出力部２０６には表示装置２１９のみが接続され、編集用コンピュータ２３２側の画像出力部２０６にはプリンタ２１８及び表示装置２１９が接続されている。
２つのコンピュータ２３１，２３２はＩ／Ｏ制御部２０３，２０３がＬＡＮなどの通信回線で接続され、撮影部筐体で撮影された撮影データは撮影終了後、編集部筐体に送信され、編集が行われる。
本実施の形態では、撮影用コンピュータ２３１において、複数の各編集用コンピュータ２３２が正常に稼動しているか否かを監視する稼動監視部２３３を備えており、後述する正常稼動判定処理を行う。
【００２６】
図８は本発明における全体処理を示すフローチャートである。
管理側の設定として、まず、電源を投入する。電源が投入されると、機器動作確認として蛍光灯照明機器の点滅確認、制御装置の起動確認が行われ、カメラ撮影準備としてシャッタースピード、絞りの設定が行われ、さらにプリンタの印刷準備、ウオームアップが開始される（ステップ８０１）。
ステップ８０１での初期設定が終わると、顧客操作を受け入れるためのデモが開始され、画像合成装置の紹介、操作手順のデモが行われる（ステップ８０２）。
実際にユーザが装置を使い、撮影を開始するために規定枚数のコインが投入されると、撮影を行うための処理手順が画面上に表示される。
次の処理では被写体画像に合成するフレームを選択させ（ステップ８０３）、撮影モードとして、顔を中心としたバストアップ撮影とするのか（ステップ８０４）、全身撮影とするか（ステップ８０５）近接撮影とするか（ステップ８０６）を決定する。なお、この撮影モードの決定は、センサ２１３により検出した被写体の位置に基づき行うものとする。
ステップ８０３で選択された背景フレームに対して前景画像マスク化を行う（ステップ８０７）。通常、本装置では前景、背景、被写体と全部で３つの画像を使って合成を行う。ここでまず、任意に選択したフレームの前景画像に対して、マスク処理を行う。マスク処理を行うことで撮影した被写体と前景画像との重なり位置を確認する。
【００２７】
次に、実際に被写体の動画像を取り込み、そのまま動画で表示されている状態で選択したフレームの中に合成表示する（ステップ８０８）。
ステップ８０７でマスク化された前景画像とステップ８０３で選択された背景フレームとの間に、動画撮影されている被写体画像を挟み込むように合成し表示する（ステップ８０９）。このときに使用されている被写体側の撮影データ、ＮＴＳＣの低解像の動画画像データが使用されている。ここでは低解像度のデータを利用する。取り込んでいた動画の被写体画像を撮影する（ステップ８１０）。ここでは静止スチル画像によって撮影を行う。実際に撮影を行う場合は前述の低解像度ではなく、高解像度の画像データでの出力に切り替える。
撮影された静止画像に対して画像の歪み、色、輝度、濃度の補正と、画像の大きさの補正という２つの形態の補正を行う（ステップ８１１）。
次に撮影画像の記憶を行う（ステップ８１２）。
画像の大きさを縮小し、選択された背景フレームと合成を行う（ステップ８１３）。画像を縮小する理由はこの時点ではユーザがどの画像を印刷させるか決定しておらず、撮影し合成した結果をディスプレイの限られた表示領域に複数枚の画像を表示させる必要があるためである。
次に、ステップ８０７からステップ８１３までの処理、つまり撮影、補正、合成を規定回数（例えば、３回）繰り返し、撮影、合成された３枚の合成画像はすべてディスプレイ上に表示される。
被写体もしくは操作者によって、ディスプレイ上に表示されている３枚の合成画像のうちから印刷したいものを決定させる（ステップ８１４）。ステップ８１４で決定された画像は表示用の縮小された画像であるため、ステップ８１２で記憶された最初の大きさの画像、実際に印刷される画像を呼び出し、背景との合成を行う（ステップ８１５）。
ここで合成された合成写真は編集部筐体に送信されて、撮影部側で編集室に移動する旨の案内が撮影者に伝えられる（ステップ８１６）。ここでの移動の案内は撮影装置に、移動の表示を行っても良いし、音声メッセージを用いて移動させても良いし、また、複数ある編集筐体の入り口を覆うカーテンにより、移動する編集部のカーテンだけ開いて、誘導しても良い。また、編集筐体へのデータ送信は編集筐体の利用の有無を判断し、空いている編集室にある編集筐体に送ることとする。編集筐体の有無は操作イベントが起きているかどうかで判断する。この場合、撮影用コンピュータの稼動監視部２３３により、後述する正常稼動監視処理を行う。
決定された合成後のスチル画像に対して、編集部筐体において印刷を行う前に当該画像に対して、落書きや任意の色変更を行うことができる（ステップ８１７）。その変更結果についてはリアルタイムでディスプレイに表示される。
【００２８】
図９は図８から続く、全体処理の流れを示すフローチャートである。
図９に示すように、まず、印刷結果の雛型をディスプレイ上に表示して、プリントタイプ，印刷出力タイプを選択させる。具体的には、１６分割のシールに印刷にするのか、８分割または４分割のシールに印刷するのかを選択させる（ステップ９０１）。選択された結果に基づいて印刷が開始される（ステップ９０２）。印刷続行中、並行して雑誌への投稿、もしくはＨＰ、表示機能付電話機への投稿の有無を確認する（ステップ９０３）。ステップ９０３で投稿を確認した場合、ディスプレイ画面上に属性情報、投稿に必要なデータを入力させる（ステップ９０４）。入力された内容に間違いがないか、再確認させ本当に投稿を行うかどうかの再確認を行う（ステップ９０５）。投稿しないことが確認された場合は入力した属性情報については消去した旨を表示する。
次に投稿先をどこにするかを選択させる。雑誌、表示機能付電話機、インターネットの３つの中から選択させる（ステップ９０６）。雑誌の場合はいくつかの雑誌名を表示させ、その中の一つを選択させる。雑誌の投稿の場合は、画像合成装置内の補助記憶装置内に画像と属性データをリンクさせ格納する（ステップ９０７）。
ステップ９０３で投稿しないを選択した場合は、ディスプレイには印刷がどの程度進んでいるかといった印刷状況についてのメッセージが表示される。すなわち、印刷時間について、３分程度かかるので、どれくらい印刷が進んでいるのか、進行状況を表示したり、合成された画像を表示させたりする（ステップ９０８）。また、このときにミニゲームを表示させることとしてもよい。
印刷が終了し、印刷結果が出力させるとカウントダウンが始まる（ステップ９０９）。このカウントダウンは続けて同じ種類のシールを印刷させるかどうかを、つまり、撮影したデータについてのデータを記憶させておくかを確認するためのもので、一定の時間内に規定枚数のコインが投入されない場合はそのまま終了し、撮影データはメモリから消去され（ステップ９１０）、規定時間内に規定枚数のコインが投入された場合はさらに印刷が継続され、印刷されたものと同じ印刷物がさらに印刷される（ステップ９１１）。
【００２９】
図１０は、撮影装置の行う編集室への案内処理手順を示すフローチャートである。
撮影装置において、規定の撮影回数が全て終了した後（ステップ１００１）、落書き処理、印刷処理のために編集装置へ移動する旨が利用者に対して表示、もしくは音声に連絡される（ステップ１００２）。
このとき撮影装置の稼動監視部は、全ての編集装置が正常に動作しているかどうかを確認する（ステップ１００３）。これは撮影した画像データを編集用コンピュータに転送するときに、正常に受け取って動作できるかどうかを確認するため、データ受信及び、編集が可能である状態を確認し、さらに編集装置に空きがあるかどうかを確認して正常動作であるかどうかを判定する。
全ての編集装置について正常動作が確認されたら、編集装置で空いてるところへ利用者を誘導する（ステップ１００４）。
一方、正常に動作していない編集装置がある場合には、各編集装置について故障の有無を判定し（ステップ１００５）、故障と判定された編集装置については、動作を停止させ店員を呼ぶ（ステップ１００６）。
一方、ステップ１００５で、正常稼動と判定された編集装置に利用者を誘導して（ステップ１００７）、編集処理を行い（ステップ１００８）、印刷処理を行う（ステップ１００９）。
以上の処理では、故障した編集装置がある場合においても、正常に稼動している編集装置についてはそのまま処理を続行させ、全ての処理が終了した後に縮退運転を開始させる。
【００３０】
図１１は、縮退運転の詳細を説明するための図である。
図１０で故障している編集筐体が確認された場合には、写真シール自販機に予め設定されているプレイ時間（撮影時間，編集時間）の再設定を行う。
図１１（ａ）は、撮影時間，編集時間の設定を示すプリセットの一例を示す図である。
本例では、設定条件として、通常設定，長め設定，縮退設定の３つを設けており、各設定条件毎に、撮影時間と編集時間とのそれぞれについて稼動予定時間を予め決めておく。
通常は初期設定として、通常設定をパラメータに設定し、例えば撮影時間を２分３０秒、編集処理時間を５分とする。長め設定は、長め設定は撮影時間を３分３０秒とし、編集処理時間を７分と設定している。通常設定にするか、長め設定にするかは、写真シール自販機を設置しているアミューズメント施設の管理者によって、任意に決定される。
縮退設定は、稼動監視部により編集装置の一つが壊れていることが確認された場合に自動的に設定される。本実施の形態における縮退設定では、撮影３分３０秒、編集処理時間を５分とする。
なお、縮退設定においては、例えば、撮影時間を長くする一方、編集処理時間を短くすることにより、各利用者毎の処理時間を通常設定と同程度とするか、または、通常設定よりも短くすることにより、回転率を上げることとしてもよい。
【００３１】
図１１（ｂ）は縮退運転への切り替え処理を示すフローチャートである。
まず、監視装置の判定に基づき、故障している編集装置の稼動を停止する（ステップ１１０１）。
故障した編集装置以外の編集装置及び撮影装置について処理が続行していた場合には、各装置の処理終了まではそのままの運転を継続する。
各装置の処理終了を確認した後（ステップ１１０２）、縮退運転条件にパラメータを切り替え（ステップ１１０３）、次の撮影処理，編集処理を再開する（ステップ１１０４）。
【００３２】
図１２は、縮退運転時におけるユーザの誘導を説明するための図である。
図１２において、１２０１Ａ，１２０１Ｂは編集装置を含む編集室Ａ，Ｂそれぞれの入口を示す。
１２０２ａ，１２０２ｂは編集装置を含む編集筐体Ａ，Ｂを示す。１２０３は、撮影装置を含む撮影筐体を示し、１２０４ａ，１２０４ｂは利用者Ａ，Ｂを示し、１２０５ａ，１２０５ｂは編集装置Ａ，Ｂを示す。
この図では、利用者１２０４ａが撮影室で撮影を行い、利用者１２０４ｂが編集室Ｂ１２０１Ｂで編集を行っており、編集室Ａ１２０１Ａは編集装置Ａ１２０５ａが故障している状態を示す。この場合、編集室Ａ１２０１Ａは利用不可として、編集室Ａ１２０１Ａへの誘導は行わず、編集装置Ｂ１２０５ｂのみの縮退運転を行うこととなる。
【図面の簡単な説明】
【００３３】
【図１】本発明の一実施の形態に係る写真シール自販機の筐体外観構成図である。
【図２】本発明の一実施の形態に係る写真シール自販機の内部構成を示す平面図及び編集装置を示す斜視図である。
【図３】本発明の一実施の形態に係る写真シール自販機の撮影装置を示す正面図である。
【図４】本発明の一実施の形態に係る写真シール自販機に備えられたモーションセンサを示す図である。
【図５】本発明の一実施の形態に係る写真シール自販機の編集装置を示す斜視図である。
【図６】一般的な写真シール自販機の機能構成を示すブロック図である。
【図７】撮影装置と編集装置とを独立したコンピュータで構成した写真シール自販機の機能構成を示すブロック図である。
【図８】本発明の一実施の形態に係る写真シール自販機の全体処理の一部を示すフローチャートである。
【図９】本発明の一実施の形態に係る写真シール自販機の全体処理の残りを示すフローチャートである。
【図１０】本発明の一実施の形態に係る写真シール自販機の撮影装置が行う案内処理を示すフローチャートである。
【図１１】本発明の一実施の形態に係る写真シール自販機の監視装置が行う運転制御処理を示すフローチャートである。
【図１２】本発明の一実施の形態に係る写真シール自販機におけるユーザの誘導を説明するためのイメージ図である。
【符号の説明】
【００３４】
２０１  ＣＰＵ、２０２  メモリ、２０３  Ｉ／Ｆ制御部、２０４  データ記憶部、２０５  画像出力部、２０６  画像処理部、２０７  パターンメモリ、２０８  データ入力部、２０９  音声出力部、２１０  通信制御Ｉ／Ｆ、２１１  デジタルカメラＩ／Ｆ、２１２  インバータ、２１３  センサ、２１４  タッチパネル、２１５  課金装置、２１６  タイマ、２１７  発光/調光制御部、２１８プリンタ、２１９  表示装置、２２０  ＣＣＤカメラ、２２１  画像入力装置、２２２  スピーカ、２３１  撮影用コンピュータ、２３２  変種用コンピュータ、２３３  稼動監視部。
【図１】
2006302176.tif 000003
【図２】
2006302176.tif 000004
【図３】
2006302176.tif 000005
【図４】
2006302176.tif 000006
【図５】
2006302176.tif 000007
【図６】
2006302176.tif 000008
【図７】
2006302176.tif 000009
【図８】
2006302176.tif 000010
【図９】
2006302176.tif 000011
【図１０】
2006302176.tif 000012
【図１１】
2006302176.tif 000013
【図１２】
2006302176.tif 000014